(57)【要約】【課題】  無駄な電力消費が抑えられる照明装置を提供する。【解決手段】  太陽電池１と、二次電池２と、人体検出部３と、人体検出部３による人体の検出に応じて電気的な光源４を点灯させる光源駆動部５と、二次電池２からの給電をオンオフする給電制御部６とを備える。給電制御部６は、太陽電池１の発電量に基いて昼夜の判定を行うとともに、昼と判定されている期間には二次電池２から人体検出部３と光源駆動部５とへの給電をオフし、夜と判定されている期間には二次電池２から人体検出部３と光源駆動部５とへの給電をオンする。昼と判定されている期間には光源駆動部５に電力が供給されないから、昼にも光源駆動部５に電力が供給される場合に比べて電力の消費が抑えられる。【選択図】図１
2012169179.tif 000002
【特許請求の範囲】
【請求項１】
太陽電池と、
前記太陽電池によって充電される二次電池と、
人体を検出する人体検出部と、
前記人体検出部の出力に応じて電気的な光源を点灯させる光源駆動部と、
前記太陽電池の発電量に基いて昼夜の判定を行うとともに、昼と判定されている期間には前記二次電池から前記人体検出部と前記光源駆動部とへの給電をオフし、夜と判定されている期間には前記二次電池から前記人体検出部と前記光源駆動部とへの給電をオンする給電制御部とを備えることを特徴とする照明装置。
【請求項２】
前記二次電池の両端電圧が所定の上限電圧以上であるときに前記太陽電池から前記二次電池への給電をオフして前記二次電池の過充電を防止する充電制御部を備えることを特徴とする請求項１記載の照明装置。
【発明の詳細な説明】
【技術分野】
【０００１】
本発明は、照明装置に関するものである。
【背景技術】
【０００２】
従来から、太陽電池と、二次電池とを備え、昼間は太陽電池によって二次電池を充電するとともに、夜間は二次電池を電源として電気的な光源を点灯させる照明装置が提供されている。さらに、人体を検出する人体検出部を有し、夜間の動作としては人体の検出に応じて光源を点灯させる照明装置もある。このような照明装置では、無駄な電力消費を抑えるため、昼間には人体検出部への電力の供給を停止させる場合もある（例えば、特許文献１参照）。
【先行技術文献】
【特許文献】
【０００３】
【特許文献１】実開平４−１２６６１１号公報
【発明の概要】
【発明が解決しようとする課題】
【０００４】
ところで、上記のように人体検出部への電力の供給が停止されても、人体検出部の出力に応じて電気的な光源を点灯させる光源駆動部に対して昼間にも電力が供給される場合、その電力は無駄に消費されてしまう。
【０００５】
本発明は、上記事由に鑑みて為されたものであり、その目的は、無駄な電力消費が抑えられる照明装置を提供することにある。
【課題を解決するための手段】
【０００６】
本発明の照明装置は、太陽電池と、前記太陽電池によって充電される二次電池と、人体を検出する人体検出部と、前記人体検出部の出力に応じて電気的な光源を点灯させる光源駆動部と、前記太陽電池の発電量に基いて昼夜の判定を行うとともに、昼と判定されている期間には前記二次電池から前記人体検出部と前記光源駆動部とへの給電をオフし、夜と判定されている期間には前記二次電池から前記人体検出部と前記光源駆動部とへの給電をオンする給電制御部とを備えることを特徴とする。
【０００７】
この照明装置において、前記二次電池の両端電圧が所定の上限電圧以上であるときに前記太陽電池から前記二次電池への給電をオフして前記二次電池の過充電を防止する充電制御部を備えることが望ましい。
【発明の効果】
【０００８】
本発明によれば、昼と判定されている期間には二次電池から人体検出部と光源駆動部とへの給電がオフされるので、昼と判定されている期間にも光源駆動部への給電が継続される場合に比べて無駄な電力消費が抑えられる。
【図面の簡単な説明】
【０００９】
【図１】本発明の実施形態を示すブロック図である。
【図２】同上を示す斜視図である。
【発明を実施するための形態】
【００１０】
以下、本発明を実施するための最良の形態について、図面を参照しながら説明する。
【００１１】
本実施形態は、図１に示すように、太陽電池１と、二次電池２と、人体検出部３と、電気的な光源４を点灯させる光源駆動部５と、二次電池２からの給電をオンオフする給電制御部６と、二次電池２への充電をオンオフする充電制御部７とを備える。
【００１２】
また、本実施形態は、図２に示すように下端を地面に固定されるポール８１を備える。太陽電池１はポール８１の上端に取り付けられ、人体検出部３と光源４と光源駆動部５とはそれぞれ太陽電池１の下側においてポール８１に取り付けられた灯体８２に収納及び保持され、二次電池２と給電制御部６と充電制御部７とはそれぞれポール８１の下端に取り付けられたケース８３に収納及び保持される。
【００１３】
太陽電池１は太陽光を受光して電流を発生させるものであって、このような太陽電池１としてはシリコンを用いたものや有機薄膜を用いたものなど種々のものが周知である。
【００１４】
二次電池２としては例えばリチウムイオン電池や鉛蓄電池など種々のものが周知である。
【００１５】
人体検出部３は、所定の検出範囲内に人体が存在するか否かを判定するとともに、判定結果に応じた電気信号を光源駆動部５に入力するものである。上記の検出範囲は、例えば光源４によって照明される範囲と略同じとされる。上記のような人体検出部３としては、人体が放射する赤外線を検出する焦電センサを用いたものや、送信波（例えば超音波や電波）を検出範囲に送信するとともに反射波を受信し反射波に生じたドップラシフトに基いて人体を検出するものなど、種々のものが周知である。
【００１６】
光源４としては発光ダイオードや白熱灯などの周知の光源を用いることができる。
【００１７】
また、光源駆動部５は、人体検出部３の出力に応じて光源４を点灯させる。具体的には例えば、光源駆動部５は、光源４への給電路に挿入されたスイッチ（例えば半導体スイッチやリレー。図示せず。）と、所定の制御遅れ時間を計時するためのタイマ回路（図示せず）と、上記のスイッチをオンオフ駆動するスイッチ駆動回路（図示せず）とを有する。すなわち、上記のスイッチ駆動回路は、人体検出部３によって人体が検出されてから上記の制御遅れ時間が経過するまでは上記のスイッチをオン状態に維持することで光源４の点灯を継続させ、人体検出部３によって人体が検出されない状態が上記の制御遅れ時間だけ継続したときに上記のスイッチをオフ制御することで光源４を消灯させる。または、光源駆動部５は、光源４の点灯に適した電力を生成する周知のスイッチング電源であってもよい。
【００１８】
充電制御部７は、二次電池２の両端電圧（以下、「電池電圧」と呼ぶ。）と所定の上限電圧との比較を随時行うとともに、電池電圧が上限電圧を上回っていれば太陽電池１から二次電池２への給電を停止させる（オフする）ことで二次電池２の過充電を防止する。上記のような充電制御部７は、太陽電池１から二次電池２への給電路に挿入されたスイッチ（例えば半導体スイッチやリレー。図示せず。）と、電池電圧と上限電圧との比較結果に応じて上記のスイッチを駆動する駆動回路（図示せず）とで実現することができる。さらに、充電制御部７が、太陽電池１の出力を二次電池２の充電に適した電力に変換する回路を含んでいてもよい。上記のような充電制御部７は、例えば太陽電池１を電源としており、給電制御部６によっては給電をオンオフされない。
【００１９】
給電制御部６は、太陽電池１の発電量に基いて昼夜を判定する。そして、夜と判定されている期間（例えば、太陽電池１の発電量が所定量よりも少ない期間）には、給電制御部６は、二次電池２から人体検出部３と光源４と光源駆動部５とへの給電をオンする。また、昼と判定されている期間（例えば、太陽電池１の発電量が所定量よりも多い期間）には、給電制御部６は二次電池２から人体検出部３と光源４と光源駆動部５とへの給電をオフする。つまり、給電制御部６によって昼と判定されている期間には、人体検出部３にも光源駆動部５にも電力が供給されないから、人体の存否に関わらず光源４は点灯されない。
【００２０】
上記構成によれば、昼と判定されている期間には光源駆動部５に電力が供給されないから、昼にも光源駆動部５に電力が供給される場合に比べて電力の消費が抑えられる。
【００２１】
なお、給電制御部６が、電池電圧と所定の下限電圧との比較を随時行うとともに、電池電圧が下限電圧を下回っていれば二次電池２から人体検出部３と光源４と光源駆動部５とへの給電をオフすることで二次電池２の過放電を防止してもよい。
【００２２】
ここで、太陽電池１の発電量や二次電池２の充電量を表示する表示部（図示せず）が着脱自在に接続できるように、適宜のコネクタを設けてもよい。上記のような表示部は例えば液晶パネルを用いて実現することができる。さらに、上記の表示部を駆動する回路が光源駆動部５の回路とともに１チップに集積化されている場合、表示部が接続されている期間には昼間であっても光源駆動部５に電力が供給されるように回路を構成してもよい。
【符号の説明】
【００２３】
１  太陽電池
２  二次電池
３  人体検出部
４  光源
５  光源駆動部
６  給電制御部
７  充電制御部
【図１】
2012169179.tif 000003
【図２】
2012169179.tif 000004